(57)【要約】【課題】他の投影装置によって投影される画像と重畳され、エッジブレンド処理が行われる領域に対して付加画像が表示されないようにすることを目的とする。【解決手段】投影装置であって、投影画像をスクリーンに投影する投影手段と、前記投影画像に対する付加画像の位置の変更を制御する制御手段と、前記位置に基づいて前記付加画像を前記投影画像に合成する合成手段と、を備え、前記投影画像に対してエッジブレンド処理が施されている場合と、そうでない場合とで、前記制御手段が前記付加画像の位置を変更する方法を切り換えることを特徴とする。【選択図】図２
2018196124.tif 000002
【特許請求の範囲】
【請求項１】
投影画像をスクリーンに投影する投影手段と、
前記投影画像に対する付加画像の位置の変更を制御する制御手段と、
前記位置に基づいて前記付加画像を前記投影画像に合成する合成手段と、
を備え、
前記投影画像に対してエッジブレンド処理が施されている場合と、そうでない場合とで、前記制御手段が前記付加画像の位置を変更する方法を切り換えることを特徴とする投影装置。
【請求項２】
前記投影画像に対してエッジブレンド処理が施されている場合に前記制御手段が前記付加画像の位置を変更可能な領域は、前記投影画像に対してエッジブレンド処理が施されていない場合に前記制御手段が前記付加画像の位置を変更可能な領域よりも狭いことを特徴とする請求項１に記載の投影装置。
【請求項３】
前記投影画像にエッジブレンド処理を施すエッジブレンド処理手段をさらに備えることを特徴とする請求項１または請求項２に記載の投影装置。
【請求項４】
前記制御手段は、前記投影画像に対して前記エッジブレンド処理が施されているか否かを判定し、
判定結果に応じて、前記付加画像の位置を変更する方法を切り換えることを特徴とする請求項１乃至請求項３のいずれか１項に記載の投影装置。
【請求項５】
ユーザが前記付加画像の位置の変更の指示を入力するための操作手段をさらに備え、
前記制御手段は、前記指示の入力に応じて、前記付加画像の位置を変更する処理を実行することを特徴とする請求項１乃至請求項４のいずれか１項に記載の投影装置。
【請求項６】
前記制御手段は、前記投影画像に対して前記エッジブレンド処理が施されている場合に、前記投影画像のうち他の投影装置が投影した画像と重畳される重畳領域に、前記付加画像が重ならないように、前記付加画像の位置を変更することを特徴とする請求項１乃至請求項５のいずれか１項に記載の投影装置。
【請求項７】
前記制御手段は、あらかじめ定められた複数の表示位置のうち、いずれかを前記付加画像の位置とするものであって、
前記制御手段が前記投影画像に対してエッジブレンド処理が施されている場合に前記付加画像の位置と決定することが可能な表示位置の数は、前記制御手段が前記投影画像に対してエッジブレンド処理が施されていない場合に前記付加画像の位置と決定することが可能な表示位置の数よりも少ないことを特徴とする請求項１乃至請求項６のいずれか１項に記載の投影装置。
【請求項８】
前記付加画像は、前記投影装置を制御するためのメニュー画像であることを特徴とする請求項１乃至請求項７のいずれか１項に記載の投影装置。
【請求項９】
投影画像をスクリーンに投影する工程と、
前記投影画像に対する付加画像の位置の変更を制御する工程と、
前記位置に基づいて前記付加画像を前記投影画像に合成する工程と、
を備え、
前記投影画像に対してエッジブレンド処理が施されている場合と、そうでない場合とで、前記付加画像の位置を変更する方法を切り換えることを特徴とする投影装置の制御方法。
【請求項１０】
前記投影画像に対してエッジブレンド処理が施されている場合に前記付加画像の位置を変更可能な領域は、前記投影画像に対してエッジブレンド処理が施されていない場合に前記付加画像の位置を変更可能な領域よりも狭いことを特徴とする請求項９に記載の投影装置の制御方法。
【請求項１１】
前記投影画像にエッジブレンド処理を施す工程をさらに備えることを特徴とする請求項９または請求項１０に記載の投影装置の制御方法。
【請求項１２】
前記投影画像に対して前記エッジブレンド処理が施されているか否かを判定し、
判定結果に応じて、前記付加画像の位置を変更する方法を切り換えることを特徴とする請求項９乃至請求項１１のいずれか１項に記載の投影装置の制御方法。
【請求項１３】
ユーザが前記付加画像の位置の変更の指示を入力するための操作手段に対する前記指示の入力に応じて、前記付加画像の位置を変更する処理を実行することを特徴とする請求項９乃至請求項１２のいずれか１項に記載の投影装置の制御方法。
【請求項１４】
前記投影画像に対して前記エッジブレンド処理が施されている場合に、前記投影画像のうち他の投影装置が投影した画像と重畳される重畳領域に、前記付加画像が重ならないように、前記付加画像の位置を変更することを特徴とする請求項９乃至請求項１３のいずれか１項に記載の投影装置の制御方法。
【請求項１５】
あらかじめ定められた複数の表示位置のうち、いずれかを前記付加画像の位置とするものであって、
前記投影画像に対してエッジブレンド処理が施されている場合に前記付加画像の位置と決定することが可能な表示位置の数は、前記投影画像に対してエッジブレンド処理が施されていない場合に前記付加画像の位置と決定することが可能な表示位置の数よりも少ないことを特徴とする請求項９乃至請求項１４のいずれか１項に記載の投影装置の制御方法。
【請求項１６】
前記付加画像は、前記投影装置を制御するためのメニュー画像であることを特徴とする請求項９乃至請求項１５のいずれか１項に記載の投影装置の制御方法。
【請求項１７】
請求項９乃至１６のいずれか１項に記載の投影装置の制御方法をコンピュータに実行させるためのプログラム。
【請求項１８】
請求項９乃至１６のいずれか１項に記載の投影装置の制御方法をコンピュータに実行させるためのプログラムを記憶したコンピュータが読み取り可能な記憶媒体。
【発明の詳細な説明】
【技術分野】
【０００１】
本発明は、スクリーンに画像を投影する投影装置、投影装置の制御方法、プログラム、および記憶媒体に関する。
【背景技術】
【０００２】
従来、ディスプレイに表示されている画像の設定を変更するためのメニュー画像をディスプレイに表示することが知られている。
【０００３】
ユーザが指示器を操作することで、ディスプレイ上に表示されているメニュー画像の位置を変更することが開示されている（特許文献１）。
【先行技術文献】
【特許文献】
【０００４】
【特許文献１】特開２００５−１２２３９３号公報
【発明の概要】
【発明が解決しようとする課題】
【０００５】
近年、複数の投影装置を含むシステムにおいて、１つ画像を複数に分割し、分割された各画像を各投影装置からスクリーンに投影し、複数の投影された画像を重畳させることによって１つ画像をスクリーンに投影するマルチ投影技術が知られている。
【０００６】
このようなシステムにおいて、メニュー画像の表示方法について考えられていなかった。そのため、メニュー画像が投影された画像によって見えにくくなってしまう場合があった。
【０００７】
そこで、本発明は、他の投影装置によって投影される画像と重畳され、エッジブレンド処理が行われる領域に対して付加画像が表示されないようにすることを目的とする。
【課題を解決するための手段】
【０００８】
本発明に係る投影装置は、投影画像をスクリーンに投影する投影手段と、前記投影画像に対する付加画像の位置の変更を制御する制御手段と、前記位置に基づいて前記付加画像を前記投影画像に合成する合成手段と、を備え、前記投影画像に対してエッジブレンド処理が施されている場合と、そうでない場合とで、前記制御手段が前記付加画像の位置を変更する方法を切り換えることを特徴とする。
【発明の効果】
【０００９】
本発明によれば、他の投影装置によって投影される画像と重畳され、エッジブレンド処理が行われる領域に対して付加画像が表示されないようにすることができる。
【図面の簡単な説明】
【００１０】
【図１】第１の実施形態に係る投影装置の構成の一例を示すブロック図である。
【図２】第１の実施形態において実行される表示制御処理の一例を示すフローチャート図である。
【図３】第１の実施形態における投影画像に対する付加画像の表示位置の一例を示す図である。
【発明を実施するための形態】
【００１１】
以下、図面を参照して、本発明の実施形態を説明する。
【００１２】
（第１の実施形態）
図１は、第１の実施形態における投影装置１００の構成の一例であるブロック図を示す。なお、投影装置１００は、例えば、プロジェクタである。
【００１３】
投影装置１００は、投影装置１００によって不図示のスクリーンに投影される画像と、他の投影装置によって不図示のスクリーンに投影される画像とを重畳させることで生成された一つの画像を不図示のスクリーンに投影するマルチ投影を行うことができる。
【００１４】
図１に示すように、投影装置１００は、映像信号入力部１０１、通信インターフェイス１０２、制御部１０３、通信バス１０４、タイミング信号生成部１０５、解像度変換部１０６、ＯＳＤ生成部１０７、画像合成部１０８及び台形補正部１０９を有する。また、通信バス１０４には、映像信号処理部１１０、エッジブレンド処理部１１１、光変調デバイス駆動部１１２、光源制御部１１４、光学系制御部１１７、操作部１１８及びＲＯＭ１１９が接続される。
【００１５】
映像信号入力部１０１は、他の投影装置または外部のパーソナルコンピュータによって一つの画像から分割された映像信号を取得する。なお、他の投影装置または外部のパーソナルコンピュータを外部機器と呼ぶ。なお、外部機器から映像信号入力部１０１に入力される映像信号は、静止画であってもよく動画であっても良い。
【００１６】
通信インターフェイス１０２は、外部機器と通信を行うためのインターフェイスである。
【００１７】
制御部１０３は、投影装置１００を制御する。
【００１８】
通信バス１０４は、制御部１０３と、映像信号入力部１０１、タイミング信号生成部１０５、解像度変換部１０６、ＯＳＤ生成部１０７、画像合成部１０８、台形補正部１０９及び映像信号処理部１１０とを接続する。さらに、通信バス１０４は、制御部１０３と、エッジブレンド処理部１１１、光変調デバイス駆動部１１２、光源制御部１１４、光学系制御部１１７、操作部１１８、及びＲＯＭ１１９とを接続する。
【００１９】
タイミング信号生成部１０５は、映像信号入力部１０１から供給された水平・垂直同期信号やクロック信号から各ブロックを駆動するタイミング信号を生成する。解像度変換部１０６は、映像信号入力部１０１から供給された映像信号の解像度を光変調デバイス１１５の解像度に変換する。
【００２０】
ＯＳＤ生成部１０７は、投影装置１００によって不図示のスクリーンに投影される画像を調整するためのメニュー画像や投影装置１００を制御するためのメニュー画像等を生成する。画像合成部１０８は、解像度変換部１０６から供給される映像信号とＯＳＤ生成部１０７によって生成されるメニュー画像とを合成する。ＯＳＤ生成部１０７によって生成されるメニュー画像は、映像信号入力部１０１から供給される映像信号に対する付加画像である。
【００２１】
台形補正部１０９は、投影装置１００と不図示のスクリーンとが正対していない場合に、投影装置１００によって投影される画像に発生する台形ひずみを補正する。映像信号処理部１１０は、ノイズリダクションや色調整を行う。エッジブレンド処理部１１１は、タイミング信号生成部１０５から入力されたタイミング信号に基づいて、映像信号における重畳領域を判別し、重畳領域に相当する映像信号の利得を制御する。光変調デバイス駆動部１１２は、画像合成部１０８から入力された映像信号を光変調デバイス１１５に適した形式に変換するとともに、駆動用のパルスを生成する。光源制御部１１４は、光源１１３のオン・オフや明るさを制御する。重畳領域とは、投影装置１００によって投影される画像と、他の投影装置によって投影される画像とを重畳するための領域である。なお、投影装置１００は、重畳領域を含む映像信号を不図示のスクリーンに投影する。また、投影装置１００によって不図示のスクリーンに投影される画像を以下「投影画像」と呼ぶ。
【００２２】
光変調デバイス１１５は、光源１１３から入力された光を光変調デバイス駆動部１１２から入力された映像信号と駆動パルスに基づいて変調する。投射光学系１１６は、光変調デバイス１１５で変調された光を不図示のスクリーンに投射する。光学系制御部１１７は、投射光学系１１６のフォーカスやズームを制御する。ＲＯＭ１１９は、制御部１０３によって実行されるコンピュータプログラムや制御部１０３によって行われる処理に用いられるパラメータ等を格納する。
【００２３】
次に、図２及び３を参照し、投影装置１００の動作の一例について説明する。図２は、第１の実施形態において、投影装置１００によって行われる表示制御処理の一例を示すフローチャート図である。図２の表示制御処理は、ＲＯＭ１１９に格納されているコンピュータプログラムを制御部１０３が実行することによって実現することができる。
【００２４】
Ｓ１０１では、制御部１０３は、操作部１１８を介してメニュー画像を表示するように要求されたか、または通信インターフェイス１０２を介して外部機器からメニュー画像を表示するように要求されたかを判断する。そして、制御部１０３は、メニュー画像を表示するように要求された場合（Ｓ１０１でＹｅｓ）、Ｓ１０２に進む。制御部１０３は、メニュー画像を表示するように要求されていない場合（Ｓ１０１でＮｏ）、Ｓ１０１を繰り返し行う。
【００２５】
Ｓ１０２では、制御部１０３は、ＲＯＭ１１９からメニュー画像の投影画像に対する初期の表示位置を示す第１の位置データを読み出し、Ｓ１０３に進む。
【００２６】
図３を用いて、ＲＯＭ１１９に予め格納されている第１の位置データについて説明する。図３（ａ）〜（ｅ）は、不図示のスクリーンに投影される投影画像１２１におけるメニュー画像の表示位置を示す図である。図３（ａ）〜（ｅ）における「１」〜「９」は、メニュー画像の表示位置を示す。メニュー画像の表示位置は、投影画像１２１における「１」〜「９」のいずれか一つになる。図３（ｂ）〜（ｅ）における１２０は、重畳領域を示す。
【００２７】
例えば、図３（ｂ）は、投影画像１２１における左の領域が重畳領域１２０であることを示している。この場合、メニュー画像の表示位置が「１」、「４」及び「７」のいずれか一つのときは、メニュー画像が重畳領域１２０に重なって表示されてしまう。そのため、メニュー画像の表示位置が「１」、「４」及び「７」のいずれか一つのときは、エッジブレンド処理の利得制御や他の投影装置によって投影される画像と重畳されることにより、メニュー画像が見えにくくなってしまう。
【００２８】
また、図３（ｅ）は、投影画像１２１における上の領域が重畳領域１２０であることを示している。この場合、メニュー画像の表示位置が「１」、「２」及び「３」のいずれか一つのときは、メニュー画像が重畳領域１２０に重なって表示されてしまう。そのため、メニュー画像の表示位置が「１」、「２」及び「３」のいずれか一つのときは、エッジブレンド処理の利得制御や他の投影装置によって投影される画像と重畳されることにより、メニュー画像が見えにくくなってしまう。図３（ｃ）〜（ｄ）についても、同様の問題が発生する。
【００２９】
図３（ｂ）〜図３（ｅ）の例では、メニュー画像の表示位置が「５」である場合、メニュー画像は、重畳領域１２０と重なって表示されない。そのため、エッジブレンド処理の利得制御や他の投影装置によって投影される画像と重畳されることにより、メニュー画像が見えにくくなるような事態を解消することができる。これにより、ＲＯＭ１１９に、あらかじめ「５」を示すデータを第１の位置データとして格納させておく。
【００３０】
Ｓ１０３では、制御部１０３は、Ｓ１０２において読み出された第１の位置データに応じて、メニュー画像を表示させ、Ｓ１０４に進む。具体的には、制御部１０３は、解像度変換部１０６から出力された映像信号における「５」に対応する位置にＯＳＤ生成部１０７で生成されたメニュー画像が表示されるように画像合成部１０８を制御する。
【００３１】
Ｓ１０４では、制御部１０３は、操作部１１８を介してメニュー画像の表示位置を変更するように要求されたか、または通信インターフェイス１０２を介して外部機器からメニュー画像の表示位置を変更するように要求されたかを判断する。そして、制御部１０３は、メニュー画像の表示位置を変更するように要求された場合（Ｓ１０４でＹｅｓ）、Ｓ１０５に進む。制御部１０３は、メニュー画像の表示位置を変更するように要求されていない場合は（Ｓ１０４でＮｏ）、Ｓ１１１に進む。
【００３２】
Ｓ１１１では、制御部１０３は、操作部１１８を介してメニュー画像の表示を終了するように要求されたか、または通信インターフェイス１０２を介して外部機器からメニュー画像の表示を終了するように要求されたかを判断する。そして、制御部１０３は、メニュー画像の表示を終了するように要求された場合（Ｓ１１１でＹｅｓ）、本フローチャートを終了する。制御部１０３は、メニュー画像の表示を終了するように要求されていない場合（Ｓ１１１でＮｏ）、Ｓ１０４に戻る。
【００３３】
Ｓ１０５では、制御部１０３は、ユーザによって変更されたメニュー画像の表示位置を示す第２の位置データを取得する。具体的には、制御部１０３は、操作部１１８または外部機器から通信インターフェイス１０２を介して第２の位置データを取得し、Ｓ１０６に進む。
【００３４】
Ｓ１０６では、制御部１０３は、マルチ投影のためのエッジブレンド処理をエッジブレンド処理部１１１が行っているか否かを判別する。制御部１０３は、エッジブレンド処理部１１１がエッジブレンド処理を行っていると判定した場合は（Ｓ１０６でＹｅｓ）、Ｓ１０７に進む。制御部１０３は、エッジブレンド処理部１１１がエッジブレンド処理を行っていないと判定した場合は（Ｓ１０６でＮｏ）、Ｓ１０８に進む。
【００３５】
Ｓ１０７では、制御部１０３は、Ｓ１０５で取得した第２の位置データを用いて、ユーザによって変更されたメニュー画像の表示位置と重畳領域１２０とが重なっているか否かを判別する。具体的には、制御部１０３は、重畳領域１２０が図３（ｂ）〜図３（ｅ）のどの位置に配置されているかを判断し、Ｓ１０５で取得した第２の位置データによって示される位置が重畳領域１２０と重なっているか否かを判別する。
【００３６】
例えば、重畳領域１２０が図３（ｂ）のような場合、制御部１０３は、第２の位置データを用いて、ユーザによって変更されたメニュー画像の表示位置が「１」、「４」及び「７」のいずれか一つであるか否かを判定する。この場合、第２の位置データが「１」、「４」及び「７」のいずれか一つを示す場合、制御部１０３は、ユーザによって変更されたメニュー画像の表示位置が重畳領域１２０と重なっていると判定する。また、第２の位置データが「２」、「３」、「５」、「６」、「８」及び「９」のいずれか一つを示す場合、制御部１０３は、ユーザによって変更されたメニュー画像の表示位置が重畳領域１２０と重なっていないと判定する。
【００３７】
制御部１０３は、ユーザによって変更されたメニュー画像の表示位置が重畳領域１２０と重なっていない場合は（Ｓ１０７でＮｏ）、Ｓ１０８に進む。また、制御部１０３は、ユーザによって変更されたメニュー画像の表示位置が重畳領域１２０と重なっている場合は（Ｓ１０７でＹｅｓ）、Ｓ１０９に進む。
【００３８】
Ｓ１０８では、制御部１０３は、Ｓ１０５で取得した第２の位置データによって示される位置にメニュー画像が表示されるように画像合成部１０８を制御する。例えば、第２の位置データが「２」を示すデータである場合、制御部１０３は、解像度変換部１０６から出力された映像信号における「２」に対応する位置にＯＳＤ生成部１０７で生成されたメニュー画像が表示されるように画像合成部１０８制御する。Ｓ１０８が行われた後、制御部１０３は、Ｓ１０４に戻る。
【００３９】
Ｓ１０９では、制御部１０３は、不図示のスクリーン上の投影画像に警告画像を表示し、Ｓ１１０に進む。なお、警告画像は、ユーザによって変更されたメニュー画像の表示位置が重畳領域１２０と重なってしまうことを通知するための画像である。さらに、警告画像は、メニュー画像の表示位置がエッジブレンド処理によって見えにくくなってしまうことを通知するための画像であっても良い。なお、警告画像の代わりに、ユーザによって変更されたメニュー画像の表示位置が重畳領域１２０と重なってしまうことを通知するための警告音声を投影装置１００から出力するようにしてもよい。
【００４０】
Ｓ１１０では、制御部１０３は、メニュー画像の表示位置を重畳領域１２０と重ならない位置に移動させ、Ｓ１０４に戻る。例えば、図３（ｂ）において、第２の位置データによって示される位置が「１」の場合、制御部１０３は、メニュー画像の表示位置を「２」に変更し、メニュー画像を「２」の位置に表示させるように画像合成部１０８を制御する。また、例えば、図３（ｂ）において、第２の位置データによって示される位置が「４」の場合、制御部１０３は、メニュー画像の表示位置を「５」に変更し、メニュー画像を「５」の位置に表示させるように画像合成部１０８を制御する。また、例えば、図３（ｂ）において、第２の位置データによって示される位置が「７」の場合、制御部１０３は、メニュー画像の表示位置を「８」に変更し、メニュー画像を「８」の位置に表示させるように画像合成部１０８を制御する。Ｓ１１０が行われた後、制御部１０３は、Ｓ１０４に戻る。
【００４１】
なお、メニュー画像の表示される領域が重畳領域１２０に対して大き過ぎる場合や、重畳領域１２０がメニュー画像の表示される領域に対して大き過ぎる場合、メニュー画像の表示位置を重畳領域１２０と重ならない位置に移動させることができない場合がある。この場合、Ｓ１１０において、制御部１０３は、重畳領域１２０と重ならないようにメニュー画像を縮小させた縮小画像を生成するようにＯＳＤ生成部１０７を制御し、縮小画像の表示位置を重畳領域１２０と重ならない位置に移動させ、Ｓ１０４に戻る。
【００４２】
なお、制御部１０３は、Ｓ１０７の判別結果に応じて、Ｓ１０９及びＳ１１０を行うか否かを制御するようにした。しかしながら、例えば、重畳領域１２０に対してメニュー画像が５％程度しか重なっていない場合には、スクリーン上に投影されるメニュー画像の視認性はユーザにとって問題にならないこともある。そこで、制御部１０３は、ユーザによって変更されたメニュー画像の表示位置と重畳領域１２０とが重なっていると判定した場合（Ｓ１０７でＹｅｓ）、さらに重畳率に応じて、Ｓ１０９及びＳ１１０の処理を行うか否かを制御するようにしても良い。
【００４３】
重畳率とは、投影領域１２０に対してメニュー画像の表示領域がどれくらい重なっているかを示す情報である。この場合、制御部１０３は、重畳率が所定の閾値（例えば、１０％とする）を超えるかを判断する。制御部１０３は、重畳率が所定の閾値以下の場合は、Ｓ１０９及びＳ１１０を行うことなく、Ｓ１０７からＳ１０８に進む。また、制御部１０３は、重畳率が所定の閾値を超える場合は、Ｓ１０７からＳ１０９に進む。この後、さらに、制御部１０３は、Ｓ１０９において、警告画像や警告音声の出力の方法を重畳率に応じて変更しても良い。
【００４４】
例えば、制御部１０３は、Ｓ１０９において、重畳率が大きくなるほど、警告画像の大きさ大きくするか、警告音声の大きさを大きくするように変更しても良い。また、例えば、制御部１０３は、Ｓ１０９において、重畳率に応じて、警告画像や警告音声の内容を変更しても良い。
【００４５】
このように、第１の実施形態では、ユーザからメニュー画像の表示要求があるとき、エッジブレンド処理を行っているか否か判別する。そして、エッジブレンド処理を行っている場合は、メニュー画像の表示位置が重畳領域１２０と重なっているか否かを検知し、重なっている場合は、メニュー画像の表示位置を重畳領域外に移動させるか、もしくはメニュー画像を縮小して重畳領域外に移動させる。
【００４６】
これにより、他の投影装置によって投影される画像と重畳され、エッジブレンド処理が行われる領域に対して付加画像が表示されないようにすることができる。
【００４７】
（他の実施例）
本発明に係る投影装置は、第１の実施形態で説明した投影装置１００に限定されるものではない。例えば、本発明に係る投影装置は、複数の装置から構成されるシステムにより実現することも可能である。
【００４８】
また、第１の実施形態で説明した様々な処理及び機能は、コンピュータプログラムより実現することも可能である。この場合、本発明に係る処理はコンピュータプログラムで実行可能であり、第１の実施形態で説明した様々な機能を実現することになる。
【００４９】
本発明に係るコンピュータプログラムは、コンピュータ上で稼動しているＯＳ（Ｏｐｅｒａｔｉｎｇ  Ｓｙｓｔｅｍ）などを利用して、第１の実施形態で説明した様々な処理及び機能を実現してもよいことは言うまでもない。
【００５０】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【００５１】
１００  投影装置
【図１】
2018196124.tif 000003
【図２】
2018196124.tif 000004
【図３】
2018196124.tif 000005